(57)【特許請求の範囲】
【請求項１】
熱交換器から台所のキッチンシャワー、浴室のシャワー等への配管を中継する湯沸器の給湯接手において、
前記給湯接手の導出側接続口に対して湯の導入側接続口を略直交する方向で、下流側に水平に対して７°〜１０°傾斜させて連通して設け、
前記傾斜した湯の導入側接続口に先端面を下側に開くように斜状にカットして開口面積を大きくした給湯管を挿入接続したことを特徴とする湯沸器の給湯接手。
【発明の詳細な説明】
【０００１】
【発明の属する技術分野】
この発明は、水抜き性能を高めた湯沸器の給湯接手に関する。
【０００２】
【従来の技術】
湯沸器において、熱交換器から台所のキッチンシャワー、浴室のシャワー等への配管を中継する給湯接手を昨今では樹脂化する傾向にあるが、従来は、たとえば、図９及び図１０に示されているように、その成形時の型割が簡単になるように給湯接手Ａ′のパイプ接続口１′、２′を水平状に設けて、混合管３′、接続管４′等を水平に接続しているのが一般的である。
【０００３】
【発明が解決しようとする課題】
しかしながら、こうした水平状の接続口１′、２′では、水抜き後も水平部分に水が残ることがあるため、特に、寒冷地においては残水が凍結してパイプを塞いでしまうという不具合が生ずる問題点があった。
この発明の湯沸器の給湯接手は上記課題を解決し、完璧な水抜きができるようにして上記従来の問題点を解消した湯沸器の給湯接手の提供を目的としている。
【０００４】
【課題を解決するための手段】
上記課題を解決するこの発明の請求項１の湯沸器の給湯接手は、
熱交換器から台所のキッチンシャワー、浴室のシャワー等への配管を中継する湯沸器の給湯接手において、
前記給湯接手の導出側接続口に対して湯の導入側接続口を略直交する方向で、下流側に水平に対して７°〜１０°傾斜させて連通して設け、
前記傾斜した湯の導入側接続口に先端面を下側に開くように斜状にカットして開口面積を大きくした給湯管を挿入接続したことを要旨とする。
【０００６】
上記構成を有するこの発明の請求項１記載の湯沸器の給湯接手は、給湯接手の湯の導入側接続口に角度を設けて水の排出が確実に行いうるようにしたから、湯沸器の水抜きが水が残ることなく完璧に行える。この結果、水抜き性能は向上し残水による凍結は全く生じない。
【０００７】
そして、給湯接手の湯の導入側接続口に挿入接続される給湯管の先端面を斜状にカットしてその開口面積を大きくしたから、見掛け上の断面積が大きくなってパイプ端面に水膜が張ることはない。この結果、水抜き時、水膜による残水はなくなる。
【０００８】
【発明の実施の形態】
以上説明したこの発明の構成、作用を一層明らかにするために、以下にこの発明の湯沸器の給湯接手の好適な実施の形態の一例について図面を参照して説明する。
【０００９】
図１〜図８において、Ａは給湯接手で、ミキシング後の湯の導入側接続口１と湯の導出側接続口２とが略直交方向に連通して設けられ、上記湯の導入側接続口１は短筒状となっており、凍結防止のための水抜き性能を向上すべく下流側に傾斜した一定の角度ａを備えている。この角度ａとしては、たとえば、水平に対し７°〜１０°程度傾斜させるのが適当である（図５参照）。
【００１０】
なお、上記湯の導出側接続口２はフランジ部２ａの下部に雄ネジ部２ｂとＯリング３を嵌着する凹溝２ｃとを備えた構造となっており、この接続口２には、たとえば、図８に例示されているように、キッチンシャワー４を先端に有するフレキシブル出湯管５をその基端に備えた袋ナット６により接続して台所用として使用するほか、図示しないが浴室のシャワーへの配管を接続してシャワー用としても使用可能である。７は給湯接手Ａの器体への取付部である。そして、上記構成の給湯接手Ａは樹脂で一体形成するものである。
【００１１】
８は上記湯の導入側接続口１に挿入接続する給湯管で、この給湯管８の先端接続部８ａの先端面９を斜状にカットしてその開口面積を大きくしている。すなわち、先端面９のカットは下側に開くように斜めにカットすることで開口面積が大きくなり、見掛け上の断面積を大きくする（図６及び図７参照）。
したがって、湯の導入側接続口１にシール材１０を介して挿入接続される給湯管８の先端接続部８ａの先端面９には水膜が発生することはない。なお、８ｂは給湯管８の先端接続部８ａに一体形成されたシール材押えである。
【００１２】
上記構成において、給湯接手Ａの湯の導入側接続口１は、たとえば、水平に対し７°〜１０°程度下流側に傾斜して水の流れをよくして残水をなくし、また、この接続口１に挿入接続される給湯管８の先端接続部８ａの先端面９を下側に開くように斜めにカットしてその開口面積を大きくして水膜が張るのを防止し、給湯管８の先端接続部８ａが傾くことによる水抜き時の水膜による障害をもなくす。
したがって、完璧な水抜きができ、残水が凍結してパイプを塞いでしまうという不具合はなくなる。
【００１３】
なお、図８において、１１は熱交換器、１２は水抜栓で、水抜き時に先ず、給水元栓を閉め、操作ボタン１３を「低温」にし、そして、キッチンシャワー４をストレート出湯にし、出湯管５を少し傾けた後、上記水抜栓１２をゆるめて外すことにより湯沸器内の水又は湯の経路中の水又は湯が水抜栓１２からの空気の導入と相まってすべてキッチンシャワー４と水抜栓１２から排出される。上記水抜き動作において、水抜栓１２をゆるめて外した後、操作ボタン１３を「低温」から「水」にする。また、１４は給水接続口、１５はガス管接続口、１６はメインバーナ、１７はバックカバー、１８は内胴、１９は過熱防止器、２０は基板、２１は乾電池ケースである。
【００１４】
以上この発明の湯沸器の給湯接手の実施の形態の一例について説明したが、この発明はこうした実施の形態に何等限定されるものではなく、この発明の要旨を逸脱しない範囲において種々なる形態で実施し得ることは勿論である。
【００１５】
【発明の効果】
この発明の湯沸器の給湯接手は以上説明したような形態で実施され、以下に記載されるような効果を奏する。
【００１６】
この発明の請求項１記載の湯沸器の給湯接手によれば、給湯接手の湯の導入側接続口に角度を設けて水の排出が確実に行いうるようにしたから、湯沸器の水抜きが完璧に行えて従来のように残水の凍結によるパイプの閉塞といった不具合が解消でき、特に、寒冷地において効果的である。
【００１７】
そして、給湯接手の湯の導入側接続口に挿入接続される給湯管の先端面を斜状にカットして開口面積を大きくしたから、見掛け上の断面積が大きくなってパイプ端面に水膜が張ることはない。したがって、給湯管の接続部が傾いていても水膜の発生は抑えられ、導入側接続口の傾斜と相まって水抜き性能は向上し残水による凍結は全く生じない。
【図面の簡単な説明】
【図１】この発明の湯沸器の給湯接手の一例を示した平面図である。
【図２】同正面図である。
【図３】同底面図である。
【図４】同右側面図である。
【図５】図１のＸ−Ｘ線における要部だけの拡大断面図である。
【図６】給湯接手の接続口に給湯管を接続した状態の要部だけの拡大断面図である。
【図７】給湯管の先端接続部だけを示した側面図である。
【図８】使用状態の一例を示した一部切欠正面図である。
【図９】従来の給湯接手の一例を示した正面図である。
【図１０】同側面図である。
【符号の説明】
Ａ…給湯接手
１…湯の導入側接続口
２…湯の導出側接続口
ａ…湯の導入側接続口の傾斜角度
８…給湯管
８ａ…先端接続部
９…先端面
１１…熱交換器
４…キッチンシャワー
【図１】
0003990821.tif 000002
【図２】
0003990821.tif 000003
【図３】
0003990821.tif 000004
【図４】
0003990821.tif 000005
【図５】
0003990821.tif 000006
【図６】
0003990821.tif 000007
【図７】
0003990821.tif 000008
【図８】
0003990821.tif 000009
【図９】
0003990821.tif 000010
【図１０】
0003990821.tif 000011